(57)【特許請求の範囲】
【請求項１】
ＥＲＰが稼動するサーバであり、ユーザが使用するユーザ端末からの要求に応じて通信ネットワークを介して当該ユーザ端末に対して業務プロセスにて発生する製造指図データを提供する製造指図データ管理サーバであって、
指図の割り当て先を示す割当先情報と、製造する品目の詳細を示す品目詳細情報とを含む製造指図データを記憶する製造指図データ記憶手段と、
前記品目の各項目を示す品目項目と、当該品目項目に関連する品目詳細情報の項目とが対応付けされた関連情報抽出テーブルを記憶する関連情報抽出テーブル記憶手段と、
時間範囲と、前記割当先情報の各項目を示す割当先項目と、前記品目項目とを絞込条件として指定するための絞込条件指定画面を前記ユーザ端末からの要求に応じて提供する絞込条件指定画面提供手段と、
前記絞込条件指定画面にて指定された絞込条件を前記ユーザ端末から受信して受け付けて、当該絞込条件に対応する生産表画面を絞込結果データとして生成する絞込結果データ生成手段と、
該絞込結果データ生成手段によって生成された絞込結果データを絞込結果として前記ユーザ端末に提供する絞込結果提供手段とを含み、
前記生産表画面には、指定された時間範囲と、指定された前記割当先項目に対応する割当先情報とを表の要素として表示する要素表示領域と、要素に対応する区画に前記品目詳細情報を含めたメッシュデータを各製造指図データ別に表示するメッシュデータ表示領域とが設けられており、
前記絞込条件指定画面には、時間範囲を選択するための領域と、前記割当先項目を選択するための領域と、前記品目項目を選択するための領域とが設けられており、
前記メッシュデータ表示領域には、前記関連情報抽出テーブルと前記指定された絞込条件における前記品目項目とを参照して抽出された前記品目詳細情報が表示される
ことを特徴とする製造指図データ管理サーバ。
【請求項２】
前記生産表画面には、前記製造指図データの新規追加および内容変更の少なくとも何れか一方の実行を選択するための追加変更領域が設けられており、
前記追加変更領域が選択された前記ユーザ端末からの要求に応じて、前記ユーザ端末に前記製造指図データを一覧表示する追加変更画面情報を送信し、
前記追加変更画面情報に基づいて追加変更画面を表示する前記ユーザ端末から、製造指図データの新規追加および内容変更の少なくとも何れか一方の入力操作内容を受信し、
受信した入力操作内容に応じて前記製造指図データを更新する
請求項１記載の製造指図データ管理サーバ。
【請求項３】
前記割当先項目には、業務プロセス、プロジェクト、および工程のうち少なくとも何れか１つが含まれ、
前記品目項目には、少なくとも品目が含まれ、
前記品目詳細情報には、少なくとも生産品名および生産数量が含まれ、
前記関連情報抽出テーブルにおいて、生産品名および生産数量が品目に対応付けされている
請求項１または請求項２のうち何れかに記載の製造指図データ管理サーバ。
【請求項４】
ＥＲＰを稼動させ、ユーザが使用するユーザ端末からの要求に応じて通信ネットワークを介して当該ユーザ端末に対して業務プロセスにて発生する製造指図データを提供する処理を製造指図データ管理サーバに実行させるための製造指図データ管理プログラムであって、
指図の割り当て先を示す割当先情報と、製造する品目の詳細を示す品目詳細情報とを含む製造指図データを記憶する製造指図データ記憶手段と、前記品目の各項目を示す品目項目と、当該品目項目に関連する品目詳細情報の項目とが対応付けされた関連情報抽出テーブルを記憶する関連情報抽出テーブル記憶手段とを備えた前記製造指図データ管理サーバに、
時間範囲と、前記割当先情報の各項目を示す割当先項目と、前記品目詳細情報の各項目を示す品目項目とを絞込条件として指定するための絞込条件指定画面であって、時間範囲を選択するための領域と、前記割当先項目を選択するための領域と、前記品目項目を選択するための領域とが設けられた当該絞込条件指定画面を前記ユーザ端末からの要求に応じて提供する絞込条件指定画面提供処理と、
前記絞込条件指定画面にて指定された絞込条件を前記ユーザ端末から受信して受け付けて、指定された時間範囲と、指定された前記割当先項目に対応する割当先情報とを表の要素として表示する要素表示領域と、要素に対応する区画に前記関連情報抽出テーブルと前記指定された絞込条件における前記品目項目とを参照して抽出された前記品目詳細情報を含めたメッシュデータを各製造指図データ別に表示するメッシュデータ表示領域とが設けられている生産表画面を絞込結果データとして生成する絞込結果データ生成処理と、
該絞込結果データ生成処理にて生成された絞込結果データを絞込結果として前記ユーザ端末に提供する絞込結果提供処理とを
実行させるための製造指図データ管理プログラム。
【発明の詳細な説明】
【技術分野】
【０００１】
本発明は、ＥＲＰが稼動するサーバであって、ユーザが使用するユーザ端末からの要求に応じて通信ネットワークを介して当該ユーザ端末に対して業務プロセスにて発生する製造指図データを提供する製造指図データ管理サーバ、および製造指図データ管理サーバを機能させるための製造指図データ管理プログラムに関する。
【背景技術】
【０００２】
従来から、企業における基幹業務システムを構築するためのパッケージソフトウェアとして、ＥＲＰ（Enterprise Resource
Planning）と呼ばれるものが主流となっていた。このＥＲＰが搭載された基幹業務システム（統合基幹業務システム、ＥＲＰシステム）では、リレーショナルデータベース上で構築されることが多くなってきており、業務処理に主眼をおいたアプリケーションプログラムの設計がなされることが多く、帳票の出力には主眼が置かれずに運用されることが多い。
【０００３】
このような状況の下、大量の帳票を高速に処理し、ユーザの要求に応じて適宜出力することを目的として、基幹業務システムの補完的な役割を担う様々なデータウェアハウスシステムが提供されるようになった（特許文献１参照）。
【先行技術文献】
【特許文献】
【０００４】
【特許文献１】特開２００２―３１２２０８号公報
【発明の概要】
【発明が解決しようとする課題】
【０００５】
上記のようなシステムでは、多くの種類の製造指図を管理し、膨大なデータ量の製造指図データを管理しているため、必然的に出力されるデータも膨大となり、出力に必要な処理も大きくなる。そのため、上記のようなシステムにおいて、単に抽出したデータを羅列するのではなく、出力態様に工夫を施すことが求められる。すなわち、煩雑な選択操作を強いることのない簡単な処理によりユーザが希望するデータを提供するシステムが求められる。
【０００６】
本発明は、上述した問題を解消し、ユーザが希望するデータの出力を煩雑な選択操作を強いることのない簡単な処理により実現することができるようになる。
【課題を解決するための手段】
【０００７】
本発明の製造指図データ管理サーバは、ＥＲＰが稼動するサーバであり、ユーザが使用するユーザ端末からの要求に応じて通信ネットワークを介して当該ユーザ端末に対して業務プロセスにて発生する製造指図データを提供する製造指図データ管理サーバであって、指図の割り当て先を示す割当先情報と、製造する品目の詳細を示す品目詳細情報とを含む製造指図データを記憶する製造指図データ記憶手段と、前記品目の各項目を示す品目項目と、当該品目項目に関連する品目詳細情報の項目とが対応付けされた関連情報抽出テーブルを記憶する関連情報抽出テーブル記憶手段と、時間範囲と、前記割当先情報の各項目を示す割当先項目と、前記品目項目とを絞込条件として指定するための絞込条件指定画面を前記ユーザ端末からの要求に応じて提供する絞込条件指定画面提供手段と、前記絞込条件指定画面にて指定された絞込条件を前記ユーザ端末から受信して受け付けて、当該絞込条件に対応する生産表画面を絞込結果データとして生成する絞込結果データ生成手段と、該絞込結果データ生成手段によって生成された絞込結果データを絞込結果として前記ユーザ端末に提供する絞込結果提供手段とを含み、前記生産表画面には、指定された時間範囲と、指定された前記割当先項目に対応する割当先情報とを表の要素として表示する要素表示領域と、要素に対応する区画に前記品目詳細情報を含めたメッシュデータを各製造指図データ別に表示するメッシュデータ表示領域とが設けられており、前記絞込条件指定画面には、時間範囲を選択するための領域と、前記割当先項目を選択するための領域と、前記品目項目を選択するための領域とが設けられており、前記メッシュデータ表示領域には、前記関連情報抽出テーブルと前記指定された絞込条件における前記品目項目とを参照して抽出された前記品目詳細情報が表示されることを特徴とする製造指図データ管理サーバ。
【０００８】
上記の構成としたことで、帳票に関する情報を提供する業務システム（ＥＲＰシステム）において、ユーザが希望するデータの出力を煩雑な選択操作を強いることのない簡単な処理により実現することができるようになる。
【００１０】
前記生産表画面には、前記製造指図データの新規追加および内容変更の少なくとも何れか一方の実行を選択するための追加変更領域が設けられており、前記追加変更領域が選択された前記ユーザ端末からの要求に応じて、前記ユーザ端末に前記製造指図データを一覧表示する追加変更画面情報を送信し、前記追加変更画面情報に基づいて追加変更画面を表示する前記ユーザ端末から、製造指図データの新規追加および内容変更の少なくとも何れか一方の入力操作内容を受信し、受信した入力操作内容に応じて前記製造指図データを更新する構成とされていてもよい。
【００１１】
前記割当先項目には、業務プロセス、プロジェクト、および工程のうち少なくとも何れか１つが含まれ、前記品目項目には、少なくとも品目が含まれ、前記品目詳細情報には、少なくとも生産品名および生産数量が含まれ、前記関連情報抽出テーブルにおいて、生産品名および生産数量が品目に対応付けされている構成とされていてもよい。
【００１２】
また、本発明の製造指図データ管理プログラムは、ＥＲＰを稼動させ、ユーザが使用するユーザ端末からの要求に応じて通信ネットワークを介して当該ユーザ端末に対して業務プロセスにて発生する製造指図データを提供する処理を製造指図データ管理サーバに実行させるための製造指図データ管理プログラムであって、指図の割り当て先を示す割当先情報と、製造する品目の詳細を示す品目詳細情報とを含む製造指図データを記憶する製造指図データ記憶手段と、前記品目の各項目を示す品目項目と、当該品目項目に関連する品目詳細情報の項目とが対応付けされた関連情報抽出テーブルを記憶する関連情報抽出テーブル記憶手段とを備えた前記製造指図データ管理サーバに、時間範囲と、前記割当先情報の各項目を示す割当先項目と、前記品目詳細情報の各項目を示す品目項目とを絞込条件として指定するための絞込条件指定画面であって、時間範囲を選択するための領域と、前記割当先項目を選択するための領域と、前記品目項目を選択するための領域とが設けられた当該絞込条件指定画面を前記ユーザ端末からの要求に応じて提供する絞込条件指定画面提供処理と、前記絞込条件指定画面にて指定された絞込条件を前記ユーザ端末から受信して受け付けて、指定された時間範囲と、指定された前記割当先項目に対応する割当先情報とを表の要素として表示する要素表示領域と、要素に対応する区画に前記関連情報抽出テーブルと前記指定された絞込条件における前記品目項目とを参照して抽出された前記品目詳細情報を含めたメッシュデータを各製造指図データ別に表示するメッシュデータ表示領域とが設けられている生産表画面を絞込結果データとして生成する絞込結果データ生成処理と、該絞込結果データ生成処理にて生成された絞込結果データを絞込結果として前記ユーザ端末に提供する絞込結果提供処理とを実行させるための製造指図データ管理サーバ。
【発明の効果】
【００１３】
本発明によれば、帳票に関する情報を提供する業務システムにおいて、ユーザが希望するデータの出力を煩雑な選択操作を強いることのない簡単な処理により実現することができるようになる。
【図面の簡単な説明】
【００１４】
【図１】製造指図データ管理システムの構成例を示すブロック図である。
【図２】製造指図データ管理サーバの構成例を示すブロック図である。
【図３】製造指図データの構成例を示す説明図である。
【図４】生産表提供処理の例を示すフローチャートである。
【図５】絞込条件指定画面の構成例を示す画面図である。
【図６】絞込条件受付処理の例を示すフローチャートである。
【図７】絞込条件指定画面の構成例を示す説明図である。
【図８】生産表画面の構成例を示す画面図である。
【図９】追加変更処理の例を示すフローチャートである。
【図１０】製造指図一覧表示画面の構成例を示す説明図である。
【発明を実施するための形態】
【００１５】
以下、本発明の一実施の形態の例について図面を参照して説明する。
図１は、本発明の一実施の形態に係る製造指図データ管理システム１０００の構成例を示すブロック図である。図１に示すように、製造指図データ管理システム１０００は、製造指図データ管理サーバ１０と、中継機２０と、複数のユーザ端末３１〜３Ｎ（Ｎは任意の正の整数）と、統合基幹業務システム１００とを含む。
【００１６】
製造指図データ管理サーバ１０と各ユーザ端末３１〜３Ｎとは、それぞれ、インターネットなどの通信ネットワーク４０および中継機２０を介して接続される。製造指図データ管理サーバ１０は、統合基幹業務システム１００とＬＡＮ（Local Area Network）や専用通信回線などの通信ネットワーク５１を介して接続される。なお、ユーザ端末同士は、製造指図データ管理サーバを介して通信可能な構成としてもよいし、通信不能な構成としてもよい。
【００１７】
統合基幹業務システム１００は、基幹業務サーバ１１０と、データウェアハウスサーバ（ＤＷＨサーバ）１２０と、帳票データＤＢ１０１とを含む。
【００１８】
統合基幹業務システム１００は、必要に応じて製造指図データ管理サーバ１０と通信（各種情報の送受信）を行うことにより、統合基幹業務システムとしての機能を発揮する。基幹業務システム１００が備える基幹業務サーバ１１０等には公知の技術が用いられる。
【００１９】
基幹業務サーバ１１０とＤＷＨサーバ１２０とは、専用通信回線により接続されているものとする。
【００２０】
基幹業務サーバ１１０は、例えば製造指図データ管理システム１０００の管理者によって管理されるサーバであり、各種業務に関する帳票情報を管理（例えば、情報の作成や更新、保存など。）するための各種の機能を有する。基幹業務サーバ１１０は、ＯＳ（Operating System）やリレーショナルＤＢを備えた一般的な情報処理装置によって構成される。
【００２１】
ここで、帳票とは、帳簿や伝票類の総称である。また、帳簿とは、金銭や品物の出納に関する事項が記入されるものであり、伝票とは、帳簿を作成する際の基となるデータであり業務上の取引等の証拠となるものである。本例においては、基幹業務サーバ１１０が、帳票データとして伝票データのみを扱う場合を例に説明を行なう。
【００２２】
基幹業務サーバ１１０は、業務アプリケーションプログラムに従って各種の処理を実行する。業務アプリケーションプログラムとしては、例えば、販売業務管理プログラム、購買業務管理プログラム、生産管理プログラム、財務会計管理プログラム、および管理会計管理プログラムなどがある。
【００２３】
ＤＷＨサーバ１２０は、例えば本システムのシステム管理者によって管理されるサーバであり、データウェアハウスを実現するための各種の機能を有する。ここで、データウェアハウスとは、時系列で蓄積された帳票データなどの業務データの中から各項目間の関連性を分析するシステムをいう。また、ＤＷＨサーバ１２０は、基幹業務サーバ１１０から転送されたＣＳＶ形式のファイルを所定のデータ形式に変換するなどして、所定の格納領域に各種データを登録する機能を有する。なお、ＤＷＨサーバ１２０は、データ形式の変換を行わず、ＣＳＶ形式の状態から各格納領域に応じたデータを抽出する構成とされていてもよい。
【００２４】
帳票データＤＢ１０１は、各種業務アプリケーションプログラム（統合基幹業務システム１００が備える図示しない業務アプリケーションプログラムＤＢに記憶されたプログラム）を用いた各種情報処理によって収集・整理等された各種の帳票データを記憶する記憶媒体である。帳票データＤＢ１０１において、例えば、受注伝票に対応する伝票データについては、受注伝票ヘッダ情報、受注伝票明細情報、および納入日日程などが対応付けされ、伝票番号などのキーを元に検索可能な構造で記憶される。
【００２５】
また、基幹業務サーバ１１０は、帳票データＤＢ１０１に記憶された各種データ（特に製造指図データ）を、所定の抽出条件に応じてＣＳＶ （Comma Separated Values）形式に変換して製造指図データ管理サーバ１０に送信する機能を有する。なお、本例においては、基幹業務サーバ１１０は、ＦＴＰ（File Transfer Protocol）によりＣＳＶ形式にしたデータファイルを製造指図データ管理サーバ１０に転送する。
【００２６】
製造指図データ管理サーバ１０は、ＥＲＰが稼動するサーバであって、ユーザが使用するユーザ端末３１〜３Ｎからの要求に応じて通信ネットワークを介して各種データを提供するサーバである。製造指図データ管理サーバ１０は、例えばＷＷＷサーバなどの情報処理装置によって構成され、製造指図データ管理システム１０００のシステム管理者によって管理される。
【００２７】
図２は、製造指図データ管理サーバ１０の構成例を示すブロック図である。図２に示すように、製造指図データ管理サーバ１０は、各種制御を行う制御部１１と、製造指図データＤＢ１６と、業務アプリケーションプログラムＤＢ１７と、帳票データＤＢ１８と、ＤＷＨＤＢ１９と、一般的な基幹業務サーバとしての機能を実現するために必要な各種データ（例えば、業務アプリケーションプログラムＤＢ１７に格納される各種プログラムが利用するデータ）を格納するその他ＤＢ１０Ｘとを備えている。なお、その他ＤＢ１０Ｘについては、本発明に特に関係しない部分であるため、詳しい説明は省略する。制御部１１は、ユーザ端末３１〜３Ｎに各種画面情報（例えば、絞込指定画面情報や生産表画面情報など）を提供する処理などを実行する画面情報提供処理部１１ａを含む。
【００２８】
製造指図データＤＢ１６は、業務プロセスにて発生する製造指図データを記憶する記憶媒体である。
【００２９】
図３は、製造指図データＤＢ１６に格納される製造指図データの構成例を示す説明図である。図３に示すように、製造指図データは、時期情報と、割当先情報と、品目詳細情報と、作業情報とを少なくとも含む。
【００３０】
時期情報は、開始時期および終了時期を含み、それぞれに日付が格納される。なお、本例では、開始時期および終了時期に関する情報のみを格納する構成としているが、製造段階に応じて段階的に定義する構成としてもよいし、終了時期のみを定義する構成としてもよい。
【００３１】
割当先情報は、割当先を定義した情報である。すなわち、後述する絞込条件指定画面５００にて指定を受け付ける項目と対応する項目として割り当てられているプロセス、プロジェクト、および作業区（作業区の名称を含む。以下、工程と呼ぶ場合がある。）についての割当先を示す情報である。プロセスは、業務プロセスの種類を示し、具体的には、「見込生産」や「受注生産」や「ＰＪ出庫」などの各種プロセスを含む。また、作業区は、製造ラインを示し、「成形工程」や「組立工程」などの作業区名が対応付けられている。
【００３２】
品目詳細情報は、生産する品目の詳細な情報を各項目別に定義した情報である。図３に示すように、絞込条件指定画面にて指定を受け付ける項目と対応する項目として、品目詳細情報は、生産品目、生産品名、生産数量、当該生産数量の単位、構成品目、構成品目名、所要量、および当該所要量の単位を含む。なお、生産表に表示されるメッシュデータは、ユーザから指定された項目に対応するデータに基づいて表示される。また、ユーザから指定された項目以外の項目が指定された項目と関連を有する項目も併せて表示する構成とされていてもよい。具体的に言えば、本例のシステム１０００は、生産品名が項目として選択されたときには、生産品目の生産数量も併せて表示する構成とされていてもよい。
【００３３】
作業情報は、作業にかかる時間、費用、外注先などを特定するためのデータである。
【００３４】
業務アプリケーションプログラムＤＢ１７は、各種業務に用いられるプログラムを記憶する記憶媒体である。業務アプリケーションプログラムＤＢ１７に記憶されるプログラムとしては、販売業務管理プログラム、購買業務管理プログラム、生産管理プログラム、財務会計管理プログラム、および管理会計管理プログラムなどがある。
【００３５】
帳票データＤＢ１８は、業務アプリケーションプログラムＤＢ１７に記憶された各種プログラムを用いた各種情報処理によって収集・整理等された各種の帳票データを記憶する記憶媒体である。本例においては、帳票データＤＢ１８は、基幹業務サーバ１１０から転送された伝票データを所定の形式で格納するデータベースであり、複数のキューブによって構成される。
【００３６】
各キューブには、業務アプリケーションプログラムに応じた業務プロセスにおける業務単位毎の各業務の内容に応じた帳票データが記憶される。すなわち、各キューブには、例えば、受注伝票明細、出荷伝票明細、納品伝票明細、発注伝票明細などの各業務の内容に応じた帳票データが記憶される。
【００３７】
なお、複数の業務単位に跨る所定の関連業務の内容を統合して示す関連業務毎の関連業務内容に応じた帳票データが記憶されるキューブが設けられていてもよい。すなわち、例えば、受注出荷納品などの所定の関連業務（受注、出荷、および納品の関連した業務）の内容を統合して示す帳票データが記憶されるキューブが設けられていてもよい。
【００３８】
すなわち、各キューブには、業務プロセスにおける業務単位毎の各業務の内容に応じた帳票データや、複数の業務単位に跨る所定の関連業務の内容を統合して示す関連業務毎の関連業務内容に応じた帳票データなど、業務内容に応じて分類された各分類の帳票データがそれぞれ格納される。
【００３９】
なお、本例では、製造指図データＤＢ１６において製造指図データを格納する構成としているが、製造指図データは、キューブの１つに含まれるように構成されていてもよい。
【００４０】
なお、各キューブには、対応する帳票データについて一般的に設けられる項目（例えば、受注伝票に対応する伝票データについては、受注伝票ヘッダ情報、受注伝票明細情報、および納入日日程などの項目。なお、伝票番号などのキーを元に検索可能に各項目が対応付けされた構造で記憶される。伝票番号には、受注番号、発注番号、出荷番号、入出庫番号、請求書照会、請求番号、会計番号などが含まれる。）により構成されたデータが格納される。
【００４１】
製造指図データ管理サーバ１０は、帳票データＤＢ１８およびその他ＤＢ１０Ｘに格納された各種データを、所定の外部装置、本例においてはユーザ端末３１〜３Ｎおよび統合基幹業務システム１００からの要求に応じて提供する機能を有する。すなわち、製造指図データ管理サーバ１０は、基幹業務サーバとしての機能を有する。言い換えれば、製造指図データ管理サーバ１０は、ＥＲＰエンジンを備える。
【００４２】
なお、図示しないが、本例においては、製造指図データ管理サーバ１０は、データウェアハウスを実現するための各種の機能を有するＤＷＨサーバとしての機能を有するものとする。製造指図データ管理サーバ１０が、ＥＲＰエンジンと、ＤＷＨサーバとして機能するための構成とを備えることにより、構成の異なる統合基幹業務システム（例えば、基幹業務サーバとＤＷＨサーバのうち、両方を有する統合基幹業務システム１００の他、例えばＤＷＨサーバのみを有する統合基幹業務システムや、ＤＷＨサーバのみを有する統合基幹業務システム。）に対しても、統合基幹業務システムとして要求される情報の提供を行うことができるようになる。
【００４３】
各ユーザ端末３１〜３Ｎは、ＣＰＵ（中央処理装置）、ＲＯＭ、ＲＡＭ、および表示部などを備えた例えばＩｐａｄ（登録商標）などの情報処理装置である。本例においては、各ユーザ端末３１〜３Ｎは、Ｗｅｂブラウザ、製造指図データ、および各種画面情報を扱うために利用可能な各種アプリケーションを有しているものとする。また、本例においては、各ユーザ端末３１〜３Ｎは、例えばユーザによる操作入力に応じて、製造指図データ管理サーバ１０から必要な製造指図データを取得するためのクエリ（絞込項目、絞込キー、抽出キーなど）を定義し、製造指図データ管理サーバ１０に送信する機能を有する。
【００４４】
本例においては、各ユーザ端末３１〜３Ｎは、中継機２０および通信ネットワーク４０を介して製造指図データ管理サーバ１０と通信し、製造指図データ管理サーバ１０から取得した画面情報に基づいて画面を例えば所定のＷｅｂアプリケーション（Ｗｅｂブラウザ）などのソフトウェアの機能により表示装置に出力する出力部３１ａ〜３Ｎａを有する。
【００４５】
次に、本例の製造指図データ管理システム１０００（以下、システム１０００と呼ぶ場合がある。）の動作について図面を参照して説明する。なお、本発明に特に関係しない動作や処理については、その内容を省略している場合がある。また、ここでは、本例では、あらかじめユーザ端末３１から組織ＩＤを提示したログイン要求を受け付けておき、受け付けた組織ＩＤに対応する製造指図データに基づいて生産表を生成する場合を例にして説明をする。すなわち、生産表の生成範囲が組織単位である場合を例にして説明する。
【００４６】
なお、ログイン要求を受け付けることなく絞込条件を受け付けることとしている場合には、ユーザ端末３１は、絞込条件を指定する絞込画面において組織ＩＤ入力領域（不図示）に対する組織ＩＤの入力を受け付け、絞込条件をサーバ１０に送信するときに、入力された組織ＩＤを含めて絞込条件を送信する構成とすればよい。また、組織単位ではなく会社単位で生産表が生成される構成とされていてもよい。
【００４７】
図４は、本例の製造指図データ管理システム１０００における製造指図データ管理サーバ１０（以下、サーバ１０と呼ぶ場合がある。）などが実行する生産表提供処理の例を示すフローチャートである。ここでは、サーバ１０が、組織ＩＤが特定されているユーザ端末３１から、製造指図に関するデータの表示要求を受け付けて、受け付けた要求に応じてユーザ端末３１で表示する生産表に関する情報をユーザ端末３１に送信する処理が実行される。
【００４８】
生産表提供処理において、先ず、ユーザ端末３１は、絞込条件指定画面の送信要求をサーバ１０に対して実行する（ステップＳ１０１）。具体的には、ユーザ端末３１が所定のメニュー画面を表示し、製造指図の表示要求を行うためのボタンの押下げをユーザから受け付けることにより、ユーザ端末３１はサーバ１０に対して絞込条件指定画面５００の送信要求を行う。
【００４９】
ユーザ端末３１から絞込条件指定画面５００の送信要求を受信したサーバ１０は、ユーザ端末３１に絞込条件指定画面５００を表示するための絞込条件指定画面情報をユーザ端末３１に送信する（ステップＳ１０２）。
【００５０】
絞込条件指定画面情報を受信したユーザ端末３１は、受信した絞込条件指定画面情報に基づいて、自己の表示装置に絞込条件指定画面５００を表示する（ステップＳ１０３）。
【００５１】
図５は、絞込条件指定画面５００の構成例を示す画面図である。図５に示すように、絞込条件指定画面５００は、割当先項目選択領域５０１と、品目項目選択領域５０２と、時間範囲選択領域５０３と、実行ボタン５０４と、生産表ボタン５０５とを含む。
【００５２】
割当先項目選択領域５０１は、製造指図が割り当てられているプロセスや工程などの割当先情報の各項目を選択するための領域であり、当該項目の名称を表示する複数のボタンが配置される。割当先項目選択領域５０１では、ユーザ端末３１は、当該領域に表示されているボタンのいずれかの選択を受け付ける。
【００５３】
品目項目選択領域５０２は、品目の詳細情報を示す品目詳細情報の各項目を選択するための領域であり、当該項目の名称を表示する複数のボタンが配置される。品目項目選択領域５０２では、ユーザ端末３１は、１または２以上の項目の指定を受け付ける。
【００５４】
時間範囲選択領域５０３は、時間範囲の選択を受け付けるための領域であり、時間単位別にボタンが配置される。
【００５５】
なお、本例では、各選択領域にて、割当先と、品目詳細と、時間範囲とを選択項目として構成することにより、ユーザからの選択を受け付ける構成としているが、このような構成に限られない。例えば、選択項目のうちいずれかは選択を受け付けることなく、あらかじめ設定されており、他の選択項目のみの選択を受け付けることにより絞り込みを実行する構成とされていてもよい。具体的に言えば、本例のシステム１０００は、時間範囲をあらかじめ週単位として設定しておき、割当先と、品目詳細のみの選択を受け付ける構成とされていてもよい。
【００５６】
実行ボタン５０４は、選択された項目により絞り込みを実行するために配置されるボタンである。
【００５７】
生産表ボタン５０５は、生産表を表示するために選択されるボタンである。本例では、製造指図データに基づいて生産表を表示する場合を例にして説明するため、あらかじめ生産表ボタン５０５が選択されている状態としている。また、図５に示すように、選択されている状態であることがひと目で把握できるように、選択されたボタンは強調して表示される。
【００５８】
絞込条件指定画面５００を表示すると、ユーザ端末３１は、絞込条件受付処理を実行する（ステップＳ２００）。
【００５９】
図６は、絞込条件受付処理の例を示すフローチャートである。図６に示すように、絞込条件受付処理では、各種項目の選択を受け付ける処理などが実行される。
【００６０】
絞込条件受付処理では、先ず、ユーザ端末３１は、割当先の選択をユーザから受け付ける（ステップＳ２０１）。
【００６１】
割当先の選択をユーザから受け付けると、ユーザ端末３１は、品目項目の選択をユーザから受け付ける（ステップＳ２０２）。
【００６２】
品目項目の選択を受け付けると、ユーザ端末３１は、時間範囲の選択を受け付ける（ステップＳ２０３）。
【００６３】
図７は、各種選択を受け付けて更新された絞込条件指定画面５００の構成例を示す説明図である。図７に示すように、割当先項目選択領域５０１における割当先項目と、品目項目選択領域５０２における品目項目と、時間範囲選択領域５０３における時間範囲とを示すボタンの表示態様が変化し、どのボタンが選択されているのかをひと目で把握することができる。
【００６４】
なお、本例では、各項目の選択の順番を、割当先項目、品目項目、時間範囲の順としているが、選択の順番は問わない。すなわち、品目項目を先に選択してもよいし、時間範囲を先に選択してもよい。
【００６５】
時間範囲の選択を受け付けると、ユーザ端末は、絞込実行選択を受け受ける。具体的には、実行ボタン５０４の選択を受け付ける（ステップＳ２０４）。
【００６６】
実行ボタン５０４の選択を受け付けると、ユーザ端末３１は、生産表提供処理に戻り、選択した絞込条件を提示しサーバ１０に絞込要求を送信する（ステップＳ１０４）。
【００６７】
絞込要求を受け付けたサーバ１０は、受信した絞込条件に従って、生産表画面情報を生成する（ステップＳ１０５）。
【００６８】
生産表画面情報を生成すると、サーバ１０は、生成した生産表画面情報をユーザ端末３１に送信する（ステップＳ１０６）。
【００６９】
サーバ１０から生産表画面情報を受信したユーザ端末３１は、自己の表示装置に生産表画面８００を表示する（ステップＳ１０７）。
【００７０】
図８は、生産表画面８００の構成例を示す画面図である。特に図８に示す生産表画面８００は、図７に示す、割当先項目を「工程」とし、品目項目を「品目」とし、時間範囲を「週」とした絞込条件に従って表示された画面である。図８に示すように、生産表画面８００は、生産表８０１と、要素表示領域（時間範囲要素表示領域８０２，割当先要素表示領域８０３）と、メッシュデータ表示領域８０４と、メッシュデータ８０５と、登録ボタン８０６とを含む。
【００７１】
生産表８０１は、横軸と縦軸とに要素を表示する表である。なお、本例の生産表画面８００は、横軸の要素を時間範囲とし、縦軸の要素を割当先とする構成としているが、横軸と縦軸の要素を入れ替えた構成としてもよい。
【００７２】
時間範囲要素表示領域８０２は、絞込条件として指定された時間範囲で区切られた要素を表示する領域である。本例で指定された時間範囲は「週」であるため、時間範囲要素表示領域８０２には、１週間単位で区切られた時間範囲が表示される。
【００７３】
割当先要素表示領域８０３は、絞込条件として指定された割当先で区切られた要素を表示する領域である。本例で指定された割当先は「工程」であるため、割当先要素表示領域８０３には、「ＬＩＮＥ−Ａ（成形工程）」、「ＬＩＮＥ−Ｂ（成形工程）」、および「ＬＩＮＥ−Ｆ（組立工程）」、・・・として、製造指図データに含まれる全種類の工程が各工程別に区切られて表示される。なお、製造指図データに含まれる全種類の工程が各工程別に区切られて表示される構成としているが、全工程のうち一部の工程（例えば、工程ＡからＦまでがある場合に、工程ＡからＤまでの工程）が各工程別に区切られて表示される構成としてもよい。この場合には、絞込条件指定画面５００や、生産表画面８００にて選択ボタンを配置することにより、割当先要素表示領域８０３に表示する一部の工程についての指定を受け付ける構成とすればよい。
【００７４】
また、本例では、「工程」という項目が指定されているときに、図３に示す「作業区」とともに「作業区名」を工程に関連する項目として割当先要素表示領域８０３に表示する構成としているが、「作業区」または「作業区名」の何れかを表示する構成としてもよい。
【００７５】
メッシュデータ表示領域８０４は、要素に対応する区画に品目項目の品目詳細情報を含めたメッシュデータ８０５を各製造指図データ別に表示する領域である。要素に対応するメッシュデータ８０５が複数存在する場合は、ユーザ端末３１は、複数のメッシュデータ８０５を同一の区画内に並べて配置する。
【００７６】
メッシュデータ８０５は、時間範囲と割当先との各要素を満たす製造指図データから、絞込条件として指定された品目項目に定義されているデータを抽出して表示するデータである。本例で指定された品目項目は「品目」であるため、メッシュデータ８０５には、品目に関連する「生産品名」と「生産数量」とが表示される。なお、本例では、図示しない関連情報抽出テーブル用いて、品目に関連する抽出項目を特定し、抽出した項目に定義されているデータをメッシュデータ８０５に表示する構成としている。ただし、このような構成に限られず、システム１０００は、絞込条件として指定される品目項目と、格納するデータにおける項目名とを１対１で対応付けする構成としてもよい。すなわち、図３で示す「生産品名」という項目を絞込条件指定画面５００における品目項目指定領域５０２に設け、「生産品名」が絞込条件として選択された場合に、「生産品目」に定義されているデータを抽出する構成としてもよい。また、あらかじめ、メッシュデータ８０５に表示するデータを設定しておく構成としてもよい。
【００７７】
登録ボタン８０６は、追加変更処理を実行するために配置されたボタンである。本例では、製造指図の新規追加および内容変更の少なくとも何れか一方の実行をボタンの選択操作により受け付ける構成としているが、ユーザの選択により当該処理が実行されればどのような構成であってもよい。
【００７８】
生産表８００を表示すると、ユーザ端末３１は、登録ボタン８０６の選択を受け付けることにより追加変更処理を実行する（ステップＳ１０８）。なお、登録ボタン８０６が選択されることなくブラウザの終了操作が実行された場合には、追加変更処理を実行することなく生産表提供処理を終了する。
【００７９】
図９は、追加変更処理の例を示すフローチャートである。図９に示すように追加変更処理では、製造指図の新規追加処理および内容変更処理のうち少なくとも何れか一方を実行する。
【００８０】
追加変更処理において、先ず、ユーザ端末３１は、サーバ１０に対して製造指図一覧表示画面１１００の送信要求を送信する（ステップＳ３０１）。
【００８１】
製造指図一覧表示画面１１００の送信要求を受信したサーバ１０は、ユーザ端末３１に製造指図一覧表示画面情報を送信する（ステップＳ３０２）。
【００８２】
製造指図一覧表示画面情報を受信したユーザ端末３１は、受信した製造指図一覧表示画面情報に基づいて製造指図一覧表示画面１１００を表示する（ステップＳ３０３）。
【００８３】
図１０は、製造指図一覧表示画面の構成例を示す説明図である。図１０に示すように、製造指図一覧画面１１００は、製造指図一覧表示領域１１０１と、割当情報表示領域１１０２と、指図登録ボタン１１０３と、指図削除ボタン１１０４と、明細削除ボタン１１０５と、保存ボタン１１０６とを含む。
【００８４】
製造指図一覧表示領域１１０１は、サーバ１０が備える製造指図データＤＢ１６に格納されている製造指図データを一覧表示する領域である。製造指図一覧表示領域１１０１には、工程、生産品、構成品別に異なるＵＩ上に一覧表示される。また、作業区が同一名称のデータは同一の製造工程であることを示す。また、製造指図一覧表示領域１１０１に表示される明細は、選択可能に構成される。
【００８５】
割当情報表示領域１１０２は、製造指図一覧表示領域１１０１に表示する製造指図の割当情報（例えば、プロジェクトや開始時期や終了時期など）を表示するための領域である。
【００８６】
指図登録ボタン１１０３は、新規に製造指図を登録するときに選択されるボタンである。
【００８７】
指図削除ボタン１１０４は、製造指図を削除するときに選択されるボタンである。
【００８８】
明細削除ボタン１１０５は、選択された各一覧の１行（または複数行）の明細を削除するときに選択されるボタンである。
【００８９】
保存ボタン１１０６は、変更内容を保存するときに選択されるボタンである。また、保存ボタン１１０６の選択を受け付けると、ユーザ端末３１は、サーバ１０に変更内容を示す情報を送信する。
【００９０】
ユーザ端末３１は、製造指図一覧表示画面１１００を表示すると、製造指図一覧表示画面１１００に対する入力操作を受け付ける（ステップＳ３０４）。
【００９１】
入力操作を受け付けると、ユーザ端末３１は、保存ボタンの選択操作を受け付ける（ステップＳ３０５）。
【００９２】
ユーザ端末３１は、受け付けた入力内容を製造指図一覧画面情報１１００に反映させるとともに、入力内容を示す変更内容情報をサーバ１０に送信し（ステップＳ３０６）、追加変更処理を終了する。そして、ユーザ端末３１は、追加変更処理を終了すると生産表提供処理を終了する。
【００９３】
一方で、変更内容情報を受信したサーバ１０は、変更内容情報に基づいて製造指図データを更新する（ステップＳ１０８）。サーバ１０が製造指図データを更新すると、サーバ１０は、生産表提供処理を終了する。
【００９４】
以上に説明したように、上述した実施の形態における製造指図データ管理サーバ１０（製造指図データ管理システム５００）は、ＥＲＰが稼動するサーバであり、ユーザが使用するユーザ端末３１からの要求に応じて通信ネットワークを介して当該ユーザ端末３１に対して業務プロセスにて発生する製造指図データを提供するサーバであって、指図の割り当て先を示す割当先情報と、製造する品目の詳細を示す品目詳細情報とを含む製造指図データを記憶する製造指図データＤＢ１６を備え、時間範囲と、割当先情報の各項目を示す割当先項目と、品目詳細情報の各項目を示す品目項目とを絞込条件として指定するための絞込条件指定画面（５００，７００）をユーザ端末からの要求に応じて提供し、絞込条件指定画面（５００，７００）にて指定された絞込条件をユーザ端末３１から受信して受け付けて、当該絞込条件に対応する生産表画面８００を絞込結果データとして生成し、生成した絞込結果データを絞込結果としてユーザ端末３１に提供し、生産表画面８００には、指定された時間範囲と、指定された割当先項目に対応する割当先情報とを表の要素として表示する要素表示領域（８０２，８０３）と、要素に対応する区画に品目項目の品目詳細情報を含めたメッシュデータ８０５を各製造指図データ別に表示するメッシュデータ表示領域８０４とが設けられている構成としている。このような構成によれば、帳票に関する情報を提供する業務システム（ＥＲＰシステム）において、ユーザが希望するデータの出力を煩雑な選択操作を強いることのない簡単な処理により実現することができるようになる。
【００９５】
特に、上記の構成は、ユーザが希望する割当先（例えば、割り当てられているプロセスやプロジェクトや工程）単位で、かつユーザが希望する時間（例えば、週）単位にまとめられたユーザが希望する項目の詳細を表示することができるようになる。したがって、多種多様な態様で製造指図に関するデータを表示することができるようなり、利便性が非常に高い表示画面を閲覧可能とする製造指図データ管理サーバを提供することができるようになる。
【００９６】
また、上述した実施の形態における絞込条件指定画面（５００，７００）には、時間範囲を選択するための領域と、割当先項目を選択するための領域と、品目項目を選択するための領域とが設けられている構成としている。このような構成によれば、煩雑な選択操作を強いることのない簡単な処理により各項目選択を行うことができるようになる。
【００９７】
また、上述した実施の形態における生産表画面８００には、製造指図データの新規追加および内容変更の少なくとも何れか一方の実行を選択するための追加変更領域８０６が設けられており、製造指図データ管理サーバ１０は、追加変更領域が選択されたユーザ端末からの要求に応じて、ユーザ端末に製造指図データを一覧表示する追加変更画面情報を送信し、追加変更画面情報に基づいて追加変更画面を表示するユーザ端末から、製造指図データの新規追加および内容変更の少なくとも何れか一方の入力操作内容を受信し、受信した入力操作内容に応じて製造指図データを更新する構成としている。このような構成によれば、このような構成によれば、製造指図の登録・変更という業務管理のための処理をより簡単な処理により行うことができるようになる。
【００９８】
また、上述した実施の形態における割当先項目には、業務プロセス、プロジェクト、および工程のうち少なくとも何れか１つが含まれ、品目項目には、品目名および生産数量のうち少なくとも何れか１つが含まれる構成としている。
【産業上の利用可能性】
【００９９】
本発明によれば、製造指図に関するデータを管理する業務システム（ＥＲＰシステム）において有用である。
【符号の説明】
【０１００】
１０                    製造指図データ管理サーバ
２０                    中継機
３１〜３Ｎ              ユーザ端末
４０                    通信ネットワーク
５１                    通信ネットワーク
１００                  統合基幹業務システム
１１０                  基幹業務サーバ
１２０                  ＤＷＨサーバ
１０００                製造指図データ管理システム
【要約】
【課題】データの割当・表示を簡単な処理により実現することができるようにする。
【解決手段】製造指図データ管理サーバ１０は、製造指図データを記憶する製造指図データＤＢ１６を備え、絞込条件として指定するための絞込条件指定画面をユーザ端末からの要求に応じて提供し、絞込条件指定画面（５００，７００）にて指定された絞込条件をユーザ端末３１から受信して受け付けて、当該絞込条件に対応する生産表画面８００を絞込結果データとして生成し、生成した絞込結果データを絞込結果としてユーザ端末３１に提供し、生産表画面８００には、指定された時間範囲と、指定された割当先項目に対応する割当先情報とを表の要素として表示する要素表示領域と、要素に対応する区画に品目項目の品目詳細情報を含めたメッシュデータを各製造指図データ別に表示するメッシュデータ表示領域８０５とが設けられている
【選択図】図８【図１】
0005530555.tif 000002
【図２】
0005530555.tif 000003
【図３】
0005530555.tif 000004
【図４】
0005530555.tif 000005
【図５】
0005530555.tif 000006
【図６】
0005530555.tif 000007
【図７】
0005530555.tif 000008
【図８】
0005530555.tif 000009
【図９】
0005530555.tif 000010
【図１０】
0005530555.tif 000011